(57)【要約】【課題】帳票の処理時間を短縮することができる帳票端末装置を提供すること。【解決手段】キー入力部２５及び表示部２３を備えた帳票端末装置において、帳票のイメージデータを取り込むイメージ読取部３３と、イメージ読取部３３により読取られた帳票のイメージデータより帳票上の記載事項を認識する認識手段２２と、この認識手段２２により認識が正常に行われた場合には、上記表示部に認識手段２２により取得した情報を表示させないで次の処理に進み、上記認識手段により認識が正常に行われなかった場合には、表示部２３に少なくとも帳票のイメージデータを表示させる手段２２とを具備した。【選択図】    図１
2004280252.tif 000002
【特許請求の範囲】
【請求項１】
キー入力部及び表示部を備えた帳票端末装置において、
帳票のイメージデータを取り込むイメージ読取り手段と、
上記イメージ読取り手段により読取られた帳票のイメージデータより帳票上の記載事項を認識する認識手段と、
この認識手段により認識が正常に行われた場合には、上記表示部に上記認識手段により取得した情報を表示させないで次の処理に進み、上記認識手段により認識が正常に行われなかった場合には、上記表示部に少なくとも帳票のイメージデータを表示させる手段とを具備したことを特徴とする帳票端末装置。
【請求項２】
キー入力部及び表示部を備えた帳票端末装置において、
帳票のイメージデータを取り込むイメージ読取り手段と、
上記イメージ読取り手段により読み取られた帳票のイメージデータより帳票上の記載事項を認識する認識手段と、
この認識手段により認識が正常に行われた場合には、上記表示部に帳票のイメージデータを一定時間だけ表示させた後次の処理に進み、上記認識手段により認識が正常に行われなかった場合には、上記表示部に少なくとも帳票のイメージデータを表示させる手段とを具備したことを特徴とする帳票端末装置。
【請求項３】
キー入力部及び表示部を備えた帳票端末装置において、
帳票のイメージデータを取り込むイメージ読取り手段と、
上記イメージ読取り手段により読み取られた帳票のイメージデータより帳票上の記載事項を認識する認識手段と、
この認識手段により認識が行われた結果、帳票の払込取扱票部に記載された払込情報の認識結果と払込票兼受領部に記載された払込情報の認識結果が一致した場合には、上記表示部に上記認識手段により取得した情報を表示させないで次の処理に進み、上記両認識結果が一致しなかった場合には、上記表示部に少なくとも帳票のイメージデータを表示させる手段とを具備したことを特徴とする帳票端末装置。
【請求項４】
キー入力部及び表示部を備えた帳票端末装置において、
帳票のイメージデータを取り込むイメージ読取り手段と、
上記イメージ読取り手段により読み取られた帳票のイメージデータより帳票上の記載事項を認識する認識手段と、
この認識手段により認識が行われた結果、帳票の払込取扱票部に記載された払込情報の認識結果と払込票兼受領部に記載された払込情報の認識結果が一致した場合には、上記表示部に少なくとも帳票のイメージデータを一定時間表示させた後次の処理に進み、上記両認識結果が一致しなかった場合には、上記表示部に少なくとも帳票のイメージデータを表示させる手段とを具備したことを特徴とする帳票端末装置。
【請求項５】
窓口での対面処理を窓口端末機を用いて行い、この対面処理後に帳票端末装置において帳票のイメージデータの認識処理等を行う振込みシステムにおいて、
上記帳票のイメージデータを取り込むイメージ読取り手段と、
上記イメージ読取り手段により読み取られた帳票のイメージデータより帳票上の記載事項を認識する認識手段と、
上記窓口端末機から入力されたデータと上記認識結果が一致した場合には上記表示部に上記認識手段により取得した情報を表示させないで次の処理に進み、上記窓口端末機から入力されたデータと上記認識結果が一致しなかった場合には、上記表示部に少なくとも帳票のイメージデータを表示させる手段とを具備したことを特徴とする帳票端末装置。
【請求項６】
窓口での対面処理を窓口端末機を用いて行い、この対面処理後に帳票端末装置において帳票のイメージデータの認識処理等を行う振込みシステムにおいて、
上記帳票のイメージデータを取り込むイメージ読取り手段と、
上記イメージ読取り手段により読み取られた帳票のイメージデータより帳票上の記載事項を認識する認識手段と、
上記窓口端末機から入力されたデータと上記認識結果が一致した場合には上記表示部に少なくとも帳票のイメージデータを一定時間表示させた後次の処理に進み、上記窓口端末機から入力されたデータと上記認識結果が一致しなかった場合には、上記表示部に少なくとも帳票のイメージデータを表示させる手段とを具備したことを特徴とする帳票端末装置。
【発明の詳細な説明】
【０００１】
【発明の属する技術分野】
本発明は、郵便局、銀行等の金融機関の窓口での払込みを行う帳票端末装置に関する。
【０００２】
【従来の技術】
郵便局、銀行等の業務を行う装置が知られている（特許文献１）。
【０００３】
郵便局、銀行等の窓口業務は時間帯によって利用者が集中する。特に、昼休みや業務終了直前などに利用者が集中する。
【０００４】
【特許文献１】
特開平８−３０７００号公報
【０００５】
【発明が解決しようとする課題】
このような集中時間帯に、利用者が一度に大量の帳票を持ち込んだ場合には、局員がその利用者との対面処理に専念せざるを得ないため、他の顧客を長い間待たせなければならないという問題が発生していた。これは、対面処理において行われる帳票のイメージ取得やＯＣＲ認識に時間がかかっていたためである。特に帳票を連続して処理する場合には帳票の処理時間が多くなってしまい、局員に負担をかけていた。
【０００６】
本発明は、上記の点に鑑みてなされたものでその目的は帳票の処理時間を短縮することができる帳票端末装置を提供することにある。
【０００７】
【課題を解決するための手段】
本発明は、キー入力部及び表示部を備えた帳票端末装置において、帳票のイメージデータを取り込むイメージ読取り手段と、上記イメージ読取り手段により読取られた帳票のイメージデータより帳票上の記載事項を認識する認識手段と、この認識手段により認識が正常に行われた場合には、上記表示部に上記認識手段により取得した情報を表示させないで次の処理に進み、上記認識手段により認識が正常に行われなかった場合には、上記表示部に少なくとも帳票のイメージデータを表示させる手段とを具備したことを特徴とする。
【０００８】
【発明の実施の形態】
以下図面を参照して本発明の一実施の形態について説明する。図１は第１乃至第４の実施の形態に共通な帳票端末装置の構成を示すブロック図である。この帳票端末装置２１は利用者が提出した払込票をスタックして払込処理を行う。
【０００９】
この帳票端末装置２１は制御部２２を有する。帳票端末装置２１は、制御部２２、表示部２３、本体２４、少なくとも確認キーを有するキー入力部２５とで構成されている。
【００１０】
制御部２２は、図３〜図６の処理を行うプログラムが記憶されているＲＯＭ及び各種データを記憶する記憶部２２ｍを有する。
【００１１】
本体２４の側面には、払込票を複数スタック可能なホッパ３１が設けられている。このホッパ３１から１枚ずつ取り出された払込票は搬送路３２を搬送される。
【００１２】
この搬送路３２には、払込票のイメージデータを取り込む例えばスキャナで構成されるイメージ読取部３３、払込票上に印字を行う印字部３４を備えている。
【００１３】
これらイメージ読取部３３及び印字部３４は制御部２２により制御される。
【００１４】
また、搬送路３２の末端部は正常スタッカ３５、異常スタッカ３６に分岐している。正常スタッカ３５には認識が正常終了した払込票が蓄積され、異常スタッカ３６には認識が異常終了した払込票が蓄積される。
【００１５】
図２を参照して払込票について説明する。払込票５１は２つの部分により構成されている。一方（左側部分）を払込取扱票５２といい、他方（右側部分）の半券部分を払込票兼領収書５３という。
【００１６】
払込取扱票５２の左肩部分には、帳票ＩＤが数値で印刷されている。一般帳票であれば帳票ＩＤ＝“０２”等であり、ＭＴ帳票であれば帳票ＩＤ＝０３等である。ここで、ＭＴ帳票とは、後述する払込先の口座番号５４、６１、払込み金額５５、６２が予め印刷されている帳票を意味する。このようなＭＴ帳票の場合にはＯＣＲ認識による誤読率はきわめて少ない。
【００１７】
また、払込取扱票５２には、払込情報として払込先の口座番号５４、払込み金額５５、払込先の氏名としての加入者名５６のほか、利用者の住所、氏名、電話番号が記載される依頼人欄５７が設けられている。
【００１８】
また、払込票兼領収書５３には、払込情報として払込取扱票５２と同様に、通常プレ印刷されている払込先の口座番号６１、払込み金額６２、払込先の氏名としての加入者名６３のほか、利用者の住所、氏名、電話番号が記載される依頼人欄６４が設けられている。
【００１９】
次に、本発明の第１の実施の形態について図３のフローチャートを参照して説明する。まず、利用者が郵便局の窓口に払込票５１を払込金と共に提出する。これに応答して、郵便局員は払込票５１及び払込金を受け取る。
【００２０】
そして、この払込票５１はホッパ３１にセットされる。
【００２１】
ホッパ３１にセットされた払込票５１は１枚ずつ給紙される（ステップＳ１）。そして、払込票５１は搬送路３２を介して搬送され、イメージ読取部３３において払込票５１のイメージデータが取得されると共に、払込取扱票５２に記載されている口座番号５４、払込み金額５５のイメージデータが抽出されてＯＣＲ認識される（ステップＳ２）。ここで、ホッパ３１にセットされている払込票５１が半券部分である払込票兼領収書５３が切り取られていない場合には、払込票兼領収書５３の口座番号６１及び払込み金額６２のイメージデータも抽出されてＯＣＲ認識される。
【００２２】
このＯＣＲ認識の結果、認識エラーが有るか判定される（ステップＳ３）。
【００２３】
このステップＳ３の判定で「ＹＥＳ」と判定された場合には、認識エラーが有ると判定された場合には表示部２３にイメージ読取部３３で取得された払込票５１のイメージデータとその認識結果とが表示される（ステップＳ４）。
【００２４】
そして、局員は表示部２３に表示された払込票５１のイメージデータとその認識結果とを見比べて、認識結果のエラーを発見した場合には、キー入力部２５からその認識結果を修正するキー操作を行う。（ステップＳ５）。
【００２５】
そして、局員がキー入力部２５の確認キーを操作により、ステップＳ５で入力された認識結果を修正する処理内容が確定される（ステップＳ６）。
【００２６】
次に、払込取扱票５２の空白部分５２ａに認識した払込金額等の所定事項が印字部３４において印字される（ステップＳ７）。なお、払込票５１が半券部分である払込票兼領収書５３が切り取られていない場合には、払込票兼領収書５３の余白部分５３ａにも所定事項が印字される。
【００２７】
そして、搬送路３２を介して正常スタッカ３５に排紙される（ステップＳ８）。
【００２８】
次に、ホッパ３１に次の帳票がセットされているかが判定される（ステップＳ９）。このステップＳ９の判定で「ＹＥＳ」と判定されている場合には前述したステップＳ１以降の処理が同様に行われる。
【００２９】
ところで、上記ステップＳ３の判定で「ＮＯ」と判定された場合、つまりＯＣＲ認識にエラーがなかった場合には、表示部２３にイメージ読取部３３で取得された払込票５１のイメージデータとその認識結果とが表示されないでステップＳ７の印字処理がなされる。
【００３０】
このようにＯＣＲ認識にエラーがなかった場合には、一々表示部２３に払込票５１のイメージデータとその認識結果とが表示されないので、処理時間の短縮を図ることができる。特に、ホッパ３１に複数の払込票５１がセットされている場合には、一層処理時間の短縮を図ることができる。
【００３１】
例えば、半券部分である払込票兼領収書５３が切り取られている払込取扱票５２が大量にホッパ３１にセットされている場合には、局員の負担を大幅に軽減することができる。
【００３２】
次に、本発明の第２の実施の形態について図４のフローチャートを参照して説明する。図４のフローチャートにおいて、図３のフローチャートと同一部分には同一番号を付し、その詳細な説明については省略する。
【００３３】
前述した第１の実施の形態では、ＯＣＲ認識にエラーがなかった場合には、表示部２３には払込票５１のイメージデータとその認識結果とが表示されなかったが、この第２の実施の形態では、処理時間に影響がない範囲で一定時間だけ表示部２３に払込票５１のイメージデータとその認識結果とが表示される（ステップＳ１１）。
【００３４】
このように第２の実施の形態ではＯＣＲ認識にエラーがなかった場合には、表示部２３に払込票５１のイメージデータとその認識結果とが処理時間に影響がない範囲で表示されるので、処理時間の短縮を図ることができる。特に、ホッパ３１に複数の払込票５１がセットされている場合には、一層処理時間の短縮を図ることができる。
【００３５】
次に、本発明の第３の実施の形態について図５のフローチャートを参照して説明する。まず、利用者が郵便局の窓口に払込票５１を払込金と共に提出する。これに応答して、郵便局員は払込票５１及び払込金を受け取る。
【００３６】
そして、この払込票５１はホッパ３１にセットされる。
【００３７】
ホッパ３１にセットされた払込票５１は１枚ずつ給紙される（ステップＳ２１）。そして、ホッパ３１は搬送路３２を介して搬送され、イメージ読取部３３において払込票５１のイメージデータが取得されると共に、払込取扱票５２に記載されている口座番号５４、払込み金額５５のイメージデータ及び払込票兼領収書５３の口座番号６１及び払込み金額６２のイメージデータが抽出されてＯＣＲ認識される（ステップＳ２２）。
【００３８】
このＯＣＲ認識の結果が比較される（ステップＳ２３）。つまり、払込取扱票５２に記載されている口座番号５４、払込み金額５５の認識結果と払込票兼領収書５３の口座番号６１及び払込み金額６２の認識結果とが比較される。
【００３９】
そして、両者が一致するかが判定される（ステップＳ２４）。
【００４０】
このステップＳ２４の判定で「ＮＯ」と判定された場合には、つまり両者が一致しないと判定された場合には、表示部２３にイメージ読取部３３で取得された払込票５１（つまり、払込取扱票５及び払込票兼領収書５３）のイメージデータとその認識結果とが表示される（ステップＳ４）。
【００４１】
そして、局員は表示部２３に表示された払込票５１（つまり、払込取扱票５及び払込票兼領収書５３）のイメージデータとその認識結果とを見比べて、認識結果のエラーを発見した場合には、キー入力部２５からその認識結果を修正するキー操作を行う。（ステップＳ２６）。
【００４２】
そして、局員がキー入力部２５の確認キーを操作により、ステップＳ２６で入力された認識結果を修正する処理内容が確定される（ステップＳ２７）。
【００４３】
次に、払込取扱票５２の空白部分５２ａ及び払込票兼領収書５３の余白部分５３ａに認識した払込金額等の所定事項が印字部３４において印字される（ステップＳ２８）。
【００４４】
そして、搬送路３２を介して正常スタッカ３５に排紙される（ステップＳ２９）。
【００４５】
次に、ホッパ３１に次の帳票がセットされているかが判定される（ステップＳ３０）。このステップＳ３０の判定で「ＹＥＳ」と判定されている場合には前述したステップＳ２１以降の処理が同様に行われる。
【００４６】
ところで、上記ステップＳ２４の判定で「ＹＥＳ」と判定された場合、つまり両者が一致すると判定された場合には、表示部２３にイメージ読取部３３で取得された払込票５１（つまり、払込取扱票５及び払込票兼領収書５３）のイメージデータとその認識結果とが表示されないでステップＳ２８の印字処理がなされる。
【００４７】
このようにＯＣＲ認識にエラーがなかった場合には、一々表示部２３に払込票５１（つまり、払込取扱票５及び払込票兼領収書５３）のイメージデータとその認識結果とが表示されないので、処理時間の短縮を図ることができる。特に、ホッパ３１に複数の払込票５１がセットされている場合には、一層処理時間の短縮を図ることができる。
【００４８】
次に、本発明の第４の実施の形態について図６のフローチャートを参照して説明する。図６のフローチャートにおいて、図５のフローチャートと同一部分には同一番号を付し、その詳細な説明については省略する。
【００４９】
前述した第３の実施の形態では、払込取扱票５２に記載されている口座番号５４、払込み金額５５の認識結果と払込票兼領収書５３の口座番号６１及び払込み金額６２の認識結果とが一致すると判定された場合には、表示部２３には払込票５１のイメージデータとその認識結果とが表示されなかったが、この第４の実施の形態では、処理時間に影響がない範囲で一定時間だけ表示部２３に払込票５１のイメージデータとその認識結果とが表示される（ステップＳ３１）。
【００５０】
このように第４の実施の形態ではＯＣＲ認識にエラーがなかった場合には、表示部２３に払込票５１のイメージデータとその認識結果とが処理時間に影響がない範囲で表示されるので、処理時間の短縮を図ることができる。特に、ホッパ３１に複数の払込票５１がセットされている場合には、一層処理時間の短縮を図ることができる。
【００５１】
次に、本発明の第５及び第６の実施の形態に係わるシステム構成について図７及び図８を参照して説明する。図７において、１１は郵便局、銀行等の金融機関において、局員の脇に置かれる窓口端末機である。局員が帳票としての払込票と預かり金を受け取ると、預かり金と払込金額または預かり金と払込金額と払込先口座番号が窓口端末機１１に入力される。
【００５２】
つまり、窓口端末機１１はキー入力部１２、表示部１３を有する。１４は後述する確認票が発行される発行口である。
【００５３】
この窓口端末機１１にはケーブル１５を介して図１に示した帳票端末装置２１が接続される。
【００５４】
次に、図８を参照して窓口端末機１１のシステム構成について説明する。図において、４１は窓口端末機１１を統括して制御するＣＰＵ（中央処理装置）である。このＣＰＵ４１からのシステムバス４１ａには、ＲＯＭ（リード・オンリ・メモリ）４２、各種データが記憶されるＲＡＭ（ランダム・アクセス・メモリ）４３、前述した確認票への印字を行う印字部４４、キー入力部１２及び表示部１３が接続されている。
【００５５】
次に、上記のように構成された本発明の第５の実施の形態について図９のフローチャートを参照して説明する。図７のシステムにおいては、郵便局員は払込票５１及び払込金を受け取る。そして、郵便局員は払込票５１を見て、窓口端末機１１のキー入力部１２から払込先口座番号、払込金額及び預り金を入力する。このようにして入力されたデータはＲＡＭ４３に保存される。キー入力部１２から入力された払込先口座番号、払込金額及び預り金等のデータは履歴データとしてＲＡＭ４３に保存される。次に、確認票が印刷される。この確認票には預り金、手数料、釣銭等が印刷されている。
【００５６】
次に、郵便局員は半券部分である払込票兼領収書５３を払込取扱票５２から切り離して、日付印を押印する。そして、印字部４４により確認票が印刷されて、発行口１４から発行され、払込票兼領収書５３、釣銭と共に利用者に返却される。また、払込取扱票５２は郵便局員により一時保管される。以上のようにして、郵便局の窓口処理がなされ、局員が払込票５１に対する処理が進むにつれて一時保管される払込取扱票５２は蓄積される。
【００５７】
そして、後方処理において、その蓄積された払込取扱票５２はホッパ３１にセットされる。
【００５８】
そして、制御部２２により図９のフローチャートに示すような処理が実行される。つまり、帳票端末装置２１は窓口端末機１１のＲＡＭ４３に履歴データとして保存されているキー入力部１２から入力された払込先口座番号、払込金額及び預り金等の履歴データをケーブル１５を介して入力する（ステップＳ４０）。
【００５９】
ホッパ３１にセットされた払込票５１は１枚ずつ給紙される（ステップＳ４１）。そして、ホッパ３１は搬送路３２を介して搬送され、イメージ読取部３３において払込取扱票５２に記載されている口座番号５４、払込み金額５５のイメージデータが抽出されてＯＣＲ認識される（ステップＳ４２）。
【００６０】
このＯＣＲ認識の結果である払込取扱票５２に記載されている口座番号５４、払込み金額５５と窓口端末機１１から入力された履歴データとが比較される（ステップＳ４３）。
【００６１】
そして、ＯＣＲ認識の結果である払込取扱票５２に記載されている口座番号５４、払込み金額５５が履歴データにある口座番号５４、払込み金額５５と一致するかが判定される（ステップＳ４４）。
【００６２】
このステップＳ４４の判定で「ＮＯ」と判定された場合には、認識エラーが有ると判定されて表示部２３にイメージ読取部３３で取得された払込取扱票５２のイメージデータとその認識結果とが表示される（ステップＳ４５）。
【００６３】
そして、局員は表示部２３に表示された払込取扱票５２のイメージデータとその認識結果とを見比べて、認識結果のエラーを発見した場合には、キー入力部２５からその認識結果を修正するキー操作を行う（ステップＳ４６）。
【００６４】
そして、局員キー入力部２５の確認キーを操作により、ステップＳ４６で入力された認識結果を修正する処理内容が確定される（ステップＳ４７）。
【００６５】
次に、払込取扱票５２の空白部分５２ａに認識した払込金額等の所定事項が印字部３４において印字される（ステップＳ４８）。
【００６６】
そして、搬送路３２を介して正常スタッカ３５に排紙される（ステップＳ４９）。
【００６７】
次に、ホッパ３１に次の帳票がセットされているかが判定される（ステップＳ５０）。このステップＳ５０の判定で「ＹＥＳ」と判定されている場合には前述したステップＳ４１以降の処理が同様に行われる。
【００６８】
ところで、上記ステップＳ４４の判定で「ＹＥＳ」と判定された場合、つまり一致すると判定された場合には、表示部２３にイメージ読取部３３で取得された払込取扱票５２のイメージデータとその認識結果とが表示されないでステップＳ４８の印字処理がなされる。
【００６９】
このように、ＯＣＲ認識の結果である払込取扱票５２に記載されている口座番号５４、払込み金額５５が履歴データにある口座番号５４、払込み金額５５と一致した場合には、一々表示部２３に払込取扱票５２のイメージデータとその認識結果とが表示されないので、処理時間の短縮を図ることができる。特に、ホッパ３１に複数の払込取扱票５２がセットされている場合には、一層処理時間の短縮を図ることができる。
【００７０】
次に、本発明の第６の実施の形態について図１０のフローチャートを参照して説明する。図１０のフローチャートにおいて、図９のフローチャートと同一部分には同一番号を付し、その詳細な説明については省略する。
【００７１】
前述した第５の実施の形態では、払込取扱票５２に記載されている口座番５４、払込み金額５５の認識結果が履歴データにある口座番号５４、払込み金額５５と一致した場合には、表示部２３には払込取扱票５２のイメージデータとその認識結果とが表示されなかったが、この第６の実施の形態では、処理時間に影響がない範囲で一定時間だけ表示部２３に払込取扱票５２のイメージデータとその認識結果とが表示される（ステップＳ５１）。
【００７２】
このように第６の実施の形態では、払込取扱票５２に記載されている口座番５４、払込み金額５５の認識結果が履歴データにある口座番号５４、払込み金額５５と一致した場合には表示部２３に払込取扱票５２のイメージデータとその認識結果とが処理時間に影響がない範囲で表示されるので、処理時間の短縮を図ることができる。特に、ホッパ３１に複数の払込取扱票５２がセットされている場合には、一層処理時間の短縮を図ることができる。
【００７３】
なお、上記したいずれの実施の形態においても、払込票５１のイメージデータを取り込むイメージ読取部３３で取得してＯＣＲ認識するようにしていたが、払込票５１にバーコードが印刷されている場合にはバーコード認識する手段を設けておいても良い。
【００７４】
さらに、上記したいずれの実施の形態においても、窓口端末機１１と帳票端末装置２１との間で有線でデータが送信されたが、無線でデータを送受するようにしても良い。
【００７５】
【発明の効果】
以上詳述したように本発明によれば、帳票の処理時間を短縮することができる帳票端末装置を提供することができる。
【図面の簡単な説明】
【図１】本発明の第１乃至第４の実施の形態に共通な構成を示す帳票端末装置のブロック図。
【図２】同実施の形態に係わる払込票の平面図。
【図３】本発明の第１の実施の形態の動作を説明するためのフローチャート。
【図４】本発明の第２の実施の形態の動作を説明するためのフローチャート。
【図５】本発明の第３の実施の形態の動作を説明するためのフローチャート。
【図６】本発明の第４の実施の形態の動作を説明するためのフローチャート。
【図７】本発明の第５及び第６の実施の形態に共通な構成を示す窓口端末機及び帳票端末装置のブロック図。
【図８】同実施の形態に係わる窓口端末機のシステム構成を示すブロック図。
【図９】本発明の第７の実施の形態の動作を説明するためのフローチャート。
【図１０】本発明の第８の実施の形態の動作を説明するためのフローチャート。
【符号の説明】
１１…窓口端末機、２１…帳票端末装置、２２…制御部、２２ｍ…記憶部、
２４…本体、３１…ホッパ、３２…搬送路、３３…イメージ読取部、３４…印字部。
【図１】
2004280252.tif 000003
【図２】
2004280252.tif 000004
【図３】
2004280252.tif 000005
【図４】
2004280252.tif 000006
【図５】
2004280252.tif 000007
【図６】
2004280252.tif 000008
【図７】
2004280252.tif 000009
【図８】
2004280252.tif 000010
【図９】
2004280252.tif 000011
【図１０】
2004280252.tif 000012